(57)【要約】【課題】  サンプル水の採水場所と調査機器の設置場所とが離れていても、採水時と調査時とに大きな時間差を生じさず、かつ、サンプル水の流量低下による調査停止も容易に避けることができるモニタリング装置を提供する。【解決手段】  監視水系Ｃから採られたサンプル水Ｗ１を調査機器１０に必要流量だけ流して、この調査機器１０によりサンプル水Ｗ１を連続的に調べることにより、監視水系Ｃの水質を監視するモニタリング装置１であって、監視水系Ｃからサンプル水Ｗ１を得るためのサンプリングラインの一部として、調査機器１０の直前で、監視水系Ｃ側にリターンするとともに、サンプル水Ｗ１が高速で流される循環型サンプリングライン１１を設け、循環型サンプリングライン１１から調査機器１０にサンプル水Ｗ１を供給するようにしている。【選択図】    図１
2015081906.tif 000002
【特許請求の範囲】
【請求項１】
監視水系から採られたサンプル水を調査機器に必要流量だけ流して、この調査機器により前記サンプル水を連続的に調べることにより、前記監視水系の水質を監視するモニタリング装置であって、
前記監視水系から前記サンプル水を得るためのサンプリングラインの一部として、前記調査機器の直前で、前記監視水系側にリターンするとともに、前記サンプル水が高速で流される循環型サンプリングラインを設け、この循環型サンプリングラインから前記調査機器に前記サンプル水を供給するようにしていることを特徴とするモニタリング装置。
【請求項２】
前記調査機器による調査結果に基づいて、前記監視水系への薬剤添加量の指示及び／又は前記監視水系からのブローダウン量の指示を行う出力ユニットを有していることを特徴とする請求項１記載のモニタリング装置。
【請求項３】
前記調査機器が、前記サンプル水の特定の水質又は前記サンプル水中の特定の薬品成分濃度を測定する分析器であることを特徴とする請求項１又は２記載のモニタリング装置。
【請求項４】
前記調査機器が、スライム、スケール、又は腐食の内の、少なくとも何れか１つの障害の発生の有無を検出する検出器であることを特徴とする請求項１又は２記載のモニタリング装置。
【請求項５】
前記調査機器にて調査の終了した前記サンプル水を、前記循環型サンプリングラインのリターン側に戻していることを特徴とする請求項１乃至４の何れかに記載のモニタリング装置。
【発明の詳細な説明】
【技術分野】
【０００１】
本発明は、監視水系からのサンプル水を調査機器を用いて連続的に調べることにより、この監視水系の水質を監視するモニタリング装置に関するものである。
【背景技術】
【０００２】
モニタリング装置により、監視の対象となる水系（以下監視水系という）の水質を監視するには、例えば、監視水系からのサンプル水を、サンプリングラインを介して、必要流量だけ計測器に流して、この計測器により、サンプル水の特定の水質（例えば、ｐＨやカルシウム硬度）等を連続的に測定するか、又は、監視水系からのサンプル水を、サンプリングラインを介して、必要流量だけ検出器に流して、この検出器により、スライム、スケール、又は腐食といった障害の発生の有無を連続的に検出する必要がある。この場合、モニタリング装置は、特定の水質の悪化、又はスライム等の障害の発生の検出といった調査結果に基づいて、薬注装置に指示を与え、監視水系に必要な量の薬剤を添加させたり、又は、ブローダウン装置に指示を与え、監視水系から必要量のブローを行わせることも多い。
【０００３】
また、上記モニタリング装置では、監視水系の採水場所近辺に、機器の設置場所や電源がない場合には、計測器や検出器といった調査機器は、採水場所からやや離れた場所に設置される場合も多い。
【発明の概要】
【発明が解決しようとする課題】
【０００４】
ところが、必要とされるサンプル水の流量は小さいため、サンプリングライン中を流れるサンプル水の流速も小さく、採水場所と調査機器の設置場所とが離れていると、採水時と調査時とに大きなタイムラグが生じてしまい、モニタリング装置が監視水系の現在の水質を充分に監視できていないという問題があった。このため、サンプル水の調査結果に基づいて、例えば、監視水系に必要な薬剤を添加した時には、例えば監視水系の特定物質の濃度が採水時の濃度から変わってしまっているという現象が生じる。
【０００５】
例えば、次亜塩素酸ナトリウムをスライムコントロール剤として監視水系に添加している場合には、有効成分である遊離塩素濃度を連続測定し、その結果から次亜塩素酸ナトリウムの添加量を自動調整する方法がとられている。この場合、採水時と測定時とで大きなタイムラグが生じることにより、例えば、遊離塩素濃度が実際より低く測定されると、次亜塩素酸ナトリウムが必要量より多く添加されてしまい、次亜塩素酸ナトリウムの量に起因して、腐食速度が増加してしまうという問題が生じる。
【０００６】
一方、サンプリングラインの配管サイズを小さくし、サンプリングライン中のサンプル水の流速を上げれば、採水場所と調査機器の設置場所とが離れている場合でも、採水時と調査時とに大きなタイムラグが生じるのを防止することができる。
【０００７】
しかしながら、サンプリングラインの配管サイズを小さくすると、監視水系に濁質やごみがある場合、サンプリングライン内に濁質やごみの堆積が生じることにより、サンプル水の流量が容易に必要流量以下に低下してしまい、調査が停止するなど、安定的な調査ができなくなってしまうという問題が生じる。流量の低下により調査が停止すると、その都度メンテナンスを行う必要があり、このメンテナンスに手間がかかってしまうという問題も生じる。したがって、サンプリングラインの配管サイズを小さくすることにも問題がある。
【０００８】
この発明は、以上の点に鑑み、サンプル水の採水場所と調査機器の設置場所とが離れていても、採水時と調査時とに大きなタイムラグを生じさず、かつ、サンプル水の流量低下による調査停止も容易に避けることができるモニタリング装置を提供することを目的とする。
【課題を解決するための手段】
【０００９】
この発明の請求項１記載の発明は、監視水系から採られたサンプル水を調査機器に必要流量だけ流して、この調査機器により前記サンプル水を連続的に調べることにより、前記監視水系の水質を監視するモニタリング装置であって、前記監視水系から前記サンプル水を得るためのサンプリングラインの一部として、前記調査機器の直前で、前記監視水系側にリターンするとともに、前記サンプル水が高速で流される循環型サンプリングラインを設け、この循環型サンプリングラインから前記調査機器に前記サンプル水を供給するようにしていることを特徴とする。
【００１０】
この発明では、監視水系から採られたサンプル水は、循環型サンプリングライン内を高速で流れ、調査機器の直前で、監視水系側に戻される。すなわち、サンプル水は、監視水系から調査機器の直前まで、短時間で移動し、その後、循環型サンプリングラインから調査機器まで必要流量で流される。したがって、サンプル水の採水場所と調査機器の設置場所とが離れていても、採水時と調査時とに大きなタイムラグは生じない。
【００１１】
また、循環型サンプリングラインでは、サンプル水を高速で流しても、配管のサイズを小さくする必要はなく、自由な配管サイズを選択できるので、監視水系に濁質やごみを多く含む場合でも、例えば、大きめの配管サイズを選択することにより、これらの堆積に起因して、流量低下により調査が停止するといった事態を容易に避けることができる。なお、循環型サンプリングラインでは、サンプル水が高速で流されるため、サンプル水中の濁質やごみが内部に堆積にくい状態ともなっている。
【００１２】
この発明の請求項２記載の発明は、請求項１記載の発明の場合において、前記調査機器による調査結果に基づいて、前記監視水系への薬剤添加量の指示及び／又は前記監視水系からのブローダウン量の指示を行う出力ユニットを有していることを特徴とする。
【００１３】
この発明の請求項３記載の発明は、請求項１又は２記載の発明の場合において、前記調査機器が、前記サンプル水の特定の水質又は前記サンプル水中の特定の薬品成分濃度を測定する分析器であることを特徴とする。
【００１４】
この発明の請求項４記載の発明は、請求項１又は２記載の発明の場合において、前記調査機器が、スライム、スケール、又は腐食の内の、少なくとも何れか１つの障害の発生の有無を検出する検出器であることを特徴とする。
【００１５】
この発明の請求項５記載の発明は、請求項１乃至４の何れかに記載の発明の場合において、前記調査機器にて調査の終了した前記サンプル水を、前記循環型サンプリングラインのリターン側に戻していることを特徴とする。
【発明の効果】
【００１６】
この発明の請求項１、３、又は４記載の発明によれば、サンプル水の採水時と調査時とに大きなタイムラグを生じさせることなく、監視水系の現在の水質を充分に監視できるとともに、監視水系に濁質やごみを多く含む場合でも、サンプル水の流量低下による調査停止という事態を容易に避けることができる。
【００１７】
この発明の請求項２記載の発明によれば、サンプル水の調査結果に基づいて、タイミングよく、監視水系に必要量の薬剤を添加することができ、薬剤の過剰添加や過小添加によって生じる弊害の発生を防止することができる。また、この発明によれば、サンプル水の調査結果に基づいて、タイミングよく、監視水系からのブローダウンを行うことができるので、監視水系の濃縮管理も適正に行うことができる。
【００１８】
この発明の請求項５記載の発明によれば、サンプル水の再利用が図られ、水資源の有効利用を図ることができる。
【図面の簡単な説明】
【００１９】
【図１】薬注装置が設けられている冷却水システムに、この発明の一実施の形態に係るモニタリング装置を設置した場合の系統図である。
【図２】薬注装置が設けられている冷却水システムに、この発明の他の実施の形態に係るモニタリング装置を設置した場合の系統図である。
【図３】遊離塩素濃度の時間的変化を、実施例のモニタリング装置を使用した場合と、比較例の装置（従来のモニタリング装置）を使用した場合とで、比較して示したグラフである。
【図４】分析器へのサンプル水の供給流量の時間的変化を、実施例のモニタリング装置を使用した場合と、比較例の装置（従来のモニタリング装置）を使用した場合とで、比較して示したグラフである。
【発明を実施するための最良の形態】
【００２０】
以下、この発明の実施の形態を図面を参照しつつ説明する。
図１はこの発明の一実施の形態に係るモニタリング装置が設置されている冷却水システム等を示している。
【００２１】
まず、監視水系と冷却水システム等について説明する。
この実施形態における監視水系は、工業用水が冷却水として循環使用される、開放型の冷却水系である。この冷却水系、すなわち監視水系では、図１で示されるように、冷却塔１００と、熱交換器１０１と、循環ポンプ１０２と、配管１０３とを有する冷却水システムＣにおいて、冷却水Ｗが、冷却塔１００で冷却された後、循環ポンプ１０２で加圧されて熱交換器１０１に送られ、この熱交換器１０１で暖められて、再び冷却塔１００送られるように循環している。なお、図１中、符号１００ａは、冷却塔１００の水溜であり、符号１００ｂは、冷却水Ｗと空気Ｒとを気液接触させる充填材である。
【００２２】
この冷却水システムＣの冷却塔１００側には、水処理装置である薬注装置５０が設置されている。薬注装置５０は、薬注タンク５１と、薬剤添加手段である薬注ポンプ５２と、ポンプコントローラ５３と、薬液配管５４とを有している。この薬注装置５０は、ポンプコントローラ５３によって制御される薬注ポンプ５２を用いて、薬注タンク５１内の薬剤（例えば、次亜塩素酸ナトリウムのようなスライムコントロール剤）を、必要量だけ、冷却塔１００内の冷却水Ｗ中に添加している。
【００２３】
モニタリング装置１は、冷却水Ｗ中の特定の薬剤成分（例えば、スライムコントロール剤の有効成分である遊離塩素）の濃度を連続的に測定して監視するとともに、測定された薬品成分の濃度に基づいて、薬注装置５０に必要な薬剤量の添加を指示する機能を有している。このモニタリング装置１は、調査機器である分析器１０と、分析器１０に冷却水システムＣ側、すなわち、監視水系からサンプル水Ｗ１を供給するための、循環型サンプリングライン１１及び短距離サンプリングライン１２と、排水ライン１３と、出力ユニット１４とを有している。
【００２４】
分析器１０は、循環型サンプリングライン１１と短距離サンプリングライン１２とを介して、冷却水システムＣ側から必要流量のサンプル水Ｗ１の供給を受け、サンプル水Ｗ１の特定の薬品成分濃度を連続的に計測する。
【００２５】
循環型サンプリングライン１１は、冷却水システムＣ側から採水したサンプル水Ｗ１を、分析器１０の直前で冷却水システムＣ側にリターンさせて循環させるとともに、内部のサンプル水Ｗ１を通常より高速で流すものである。
【００２６】
この循環型サンプリングライン１１は、冷却水システムＣ側から採水したサンプル水Ｗ１を短距離サンプリングライン１２側に供給するフィードライン１１Ａと、残りのサンプル水Ｗ１を冷却水システムＣ側に戻すリターンライン１１Ｂとを有している。フィードライン１１Ａは、一端側が、冷却水システムＣの循環ポンプ１０２下流側の配管１０３と連結され、他端側は、分析器１０の直前まで延びていて、配管１１ａ中に、手動調整弁１１ｂと流量計１１ｃとが設けられている。リターンライン１１Ｂは、配管１１ｄからなるもので、一端側が、分析器１０の直前でフィードライン１１Ａの端部と連結され、他端側が、冷却塔１００の水溜１００ａに連結されている。循環型サンプリングライン１１の配管１１ａ，１１ｄには、一般的に使用されるサンプリングラインの配管内径である、６ｍｍ〜１０ｍｍのうち、最も大きい内径１０ｍｍのものが使用されている。この配管１１ａ，１１ｄには、冷却水Ｗ中の濁質やごみの量に応じて、大きめの内径（例えば、内径１９ｍｍ）のものを使用してもよい。
【００２７】
短距離サンプリングライン１２は、循環型サンプリングライン１１内のサンプル水Ｗ１を分析器１０に供給するものであり、機器を含めたラインの長さは、必要最小限の長さとなっている。この短距離サンプリングライン１２は、一端側が、フィードライン１１Ａとリターンライン１１Ｂの合流点に連結され、他端側が、分析器１０に連結されている。この短距離サンプリングライン１２には、配管１２ａ中に流量調整弁１２ｂと流量計１２ｃとが設けられていて、分析器１０へのサンプル水Ｗ１の流量が必要流量となるように、流量調整弁１２ｂが、流量計１２ｃからの信号に基づいて流量をコントロールしている。短距離サンプリングライン１２の配管１２ａには、例えば、内径６ｍｍのものが使用されている。なお、短距離サンプリングライン１２は、循環型サンプリングライン１１との連結部分の配管１２ａが、上方に立ち上げられていて、循環型サンプリングライン１１中のサンプル水Ｗ１に含まれる濁質やごみが、短距離サンプリングライン１２内に入りにくい配管構造となっている。
【００２８】
排水ライン１３は、測定の終了したサンプル水Ｗ１を分析器１０から排出処理施設（排水ピット）まで導くラインであり、その配管１３ａには、例えば、短距離サンプリングライン１２の配管１２ａと同サイズのものが使用されている。
【００２９】
出力ユニット１４は、分析器１０からの出力に基づいて、サンプル水Ｗ１の特定の薬品成分濃度、すなわち、遊離塩素濃度を算出し、これを、そのディスプレイに表示するとともに、この濃度が所定値より低下すれば警報を発して、冷却水システムＣ側の水質を監視する。また、この出力ユニット１４は、算出した遊離塩素濃度から、必要な薬剤量、例えば、次亜塩素酸ナトリウムの量を算出し、この薬剤量に関する信号を薬注装置５０のポンプコントローラ５３に送って、薬注タンク５１内の薬剤（次亜塩素酸ナトリウム）を、必要量だけ薬注ポンプ５２により添加させる。
【００３０】
つぎに、循環型サンプリングライン１１中のサンプル水Ｗ１の流速の決め方の目安を、採水場所Ｐから分析器１０の設置場所までの、サンプル水Ｗ１の流路長さＬとの関係で説明する。
分析器１０を冷却水システムＣの採水場所Ｐの近傍に設置した場合（以下通常の場合という）の流路長さＬを、例えば、２ｍとすれば、実際の流路長さＬが、例えば６ｍの場合のサンプル水Ｗ１の流速は、通常の場合の３倍にしてやればよい。このようにすると、採水時と分析器１０による測定時とのタイムラグは、通常の場合と６ｍの場合とで同じになるからである。また、流路長さＬは、循環型サンプリングライン１１のフィードライン１１Ａの流路長さと、短距離サンプリングライン１２の流路長さとの合計になる。したがって、循環型サンプリングライン１１中のサンプル水Ｗ１の流速は、短距離サンプリングライン１２の流路長さを考慮して、例えば、通常の場合の流速の４〜５倍程度にしておけばよい。
【００３１】
なお、循環型サンプリングライン１１（フィードライン１１Ａ）中のサンプル水Ｗ１の流速は、最低でも、通常の場合の２倍以上としておく。もちろん、採水時と分析器１０による測定時とのタイムラグを、通常の場合より小さくするには、循環型サンプリングライン１１中のサンプル水Ｗ１の流速を更に上げてやればよい。
【００３２】
つぎに、循環型サンプリングライン１１の配管１１ａ，１１ｃサイズ等と、サンプル水Ｗ１中の濁質やごみの量との関係について説明する。
サンプル水Ｗ１中に濁質やごみがあっても、その流速が大きければ、これらはサンプル水Ｗ１とともに移動し、配管内に堆積しにくい。また、循環型サンプリングライン１１（リターンライン１１Ｂ）中のサンプル水Ｗ１の流速は、最も小さくても、通常の場合と同じである。したがって、サンプル水Ｗ１中に濁質やごみの量が少ない場合は、循環型サンプリングライン１１の配管１１ａ，１１ｃサイズは、一般的に使用されるサンプリングラインの配管内径である、６ｍｍ〜１０ｍｍのうち、最も大きい内径１０ｍｍのものが使用されておれば充分である。また、サンプル水Ｗ１中に濁質やごみの量が多い場合は、これらの堆積による流速の低下を避けるため、循環型サンプリングライン１１中のサンプル水Ｗ１の流速を上げるとともに、必要により、配管１１ａ，１１ｃサイズを大きくしてやればよい。
【００３３】
つぎに、モニタリング装置１の作用効果について説明する。
まず、採水場所Ｐから分析器１０の設置場所までのサンプル水Ｗ１の流路長さＬと、冷却水Ｗ（サンプル水Ｗ１）中の濁質やごみの量との関係から、循環型サンプリングライン１１中を流れるサンプル水Ｗ１の流速を決定する。つづいて、循環型サンプリングライン１１の配管１１ａ，１１ｃサイズから、循環型サンプリングライン１１中を流れるサンプル水Ｗ１の流量を決定する。
【００３４】
つづいて、手動調整弁１１ｂを開け、循環型サンプリングライン１１や短距離サンプリングライン１２中にサンプル水Ｗ１を流すとともに、流量計１１ｃの指示値を観察しつつ、手動調整弁１１ｂの開度を調整し、循環型サンプリングライン１１に定めた流量のサンプル水Ｗ１が流れていることを確認する。この場合、短距離サンプリングライン１２に流れたサンプル水Ｗ１は、流量調整弁１２ｂと流量計１２ｃにより、必要流量にコントロールされて分析器１０に流れ込むとともに、分析器１０は、サンプル水Ｗ１中の特定の薬品成分濃度に関する信号を出力ユニット１５に発信する。出力ユニット１５は、分析器１０からの信号に基づいて特定の薬品成分濃度を算出し、これをディスプレイに表示するとともに、特定の薬品成分濃度から冷却水システムＣ側に添加すべき薬剤の量を算出し、この信号を薬注装置５０のポンプコントローラ５３に発信する。そして、出力ユニット１５からの信号を受けたポンプコントローラ５３は、薬注ポンプ５２をコントロールして、必要量の薬剤を冷却水システムＣ側に添加する。
【００３５】
なお、循環型サンプリングライン１１に供給されたサンプル水Ｗ１は、一部が短距離サンプリングライン１２に流れるが、残りは、リターンライン１１Ｂを通って、冷却塔１００の水溜１００ａに戻される。また、分析器１０から出た測定の終了したサンプル水Ｗ１は、排水ライン１３を通って、排出ピットに排出される。
【００３６】
以上のように、このモニタリング装置１では、冷却水システムＣ側からサンプル水Ｗ１を得るためのサンプリングラインの一部として、分析器１０の直前で、冷却水システムＣ側にリターンして、サンプル水Ｗ１が、採水時と測定時とのタイムラグを無くすように、高速で流される循環型サンプリングライン１１を設け、この循環型サンプリングライン１１から分析器１０にサンプル水Ｗ１を供給するようにしている。したがって、このモニタリング装置１では、採水場所Ｐから分析器１０までのサンプル水Ｗ１の流路長さＬが大きくなっても、サンプル水Ｗ１を分析器１０に短時間で供給でき、採水時と測定時とに大きなタイムラグが生じるのを防ぐことができる。このため、このモニタリング装置１では、採水場所Ｐにおける現在の冷却水Ｗの水質を、僅かなタイムラグで、充分に監視することができる。また、このモニタリング装置１では、サンプル水Ｗ１の測定結果に基づいて、必要な薬剤を、タイミングよく冷却水システムＣ側に添加することができるので、薬剤の過剰添加や過小添加によるトラブルを避けることができる。
【００３７】
また、このモニタリング装置１では、サンプル水Ｗ１を高速で流しても、配管サイズを自由に選択できる循環型サンプリングライン１１を設けているので、冷却水システムＣ内の冷却水Ｗに濁質やごみを多く含む場合でも、例えば、大きめの配管サイズを選択することにより、これらの堆積に起因して、測定が停止するといった事態を容易に避けることができる。さらに、このモニタリング装置１では、循環型サンプリングライン１１中をサンプル水Ｗ１が高速で流されるため、サンプル水Ｗ１中の濁質やごみが循環型サンプリングライン１１中に堆積にくい状態となり、この点からも、濁質やごみの堆積に起因して、測定が停止するといった事態を避けることができる。また、このモニタリング装置１では、短距離サンプリングライン１２の、循環型サンプリングライン１１との連結部の配管を、一定長さだけ上向きに立ち上げ、循環型サンプリングライン１１中の濁質やごみが短距離サンプリングライン１２中に流れ込みにくい構造としているので、短距離サンプリングライン１２に濁質やごみが堆積するのを避けることができる。
【００３８】
ここで、分析器１０は、水質、例えば、ｐＨ、電気伝導率、カルシウム硬度、酸消費量又はシリカを連続的に測定するもの、又は、薬品成分濃度、例えば、遊離塩素、ポリマー、又はリンを連続的に測定するであってもよい。この場合の出力ユニット１５は、上記測定値に基づいて、薬注装置５０に指示を与え、必要な量の薬剤を冷却水システムＣ側に添加させたり、又は、ブローダウン装置に指示を与え、冷却水システムＣ側から必要量のブローを行わせて、冷却水システムＣの濃縮コントロールを行わせるものであってもよい。もちろん、出力ユニット１５は、薬注装置５０とブローダウン装置とを同時にコントロールするものであってもよい。
【００３９】
また、測定機器は、サンプル水を必要流量だけ流して、スライム、スケール、又は腐食の内の、少なくとも何れか１つの障害の発生の有無を連続的に検出する検出器であってもよい。この場合の出力ユニット１５は、スライム等の障害の発生の検出といった検出結果に基づいて、薬注装置５０に指示を与え、必要な量の薬剤を冷却水システムＣ側に添加させたり、又は、ブローダウン装置に指示を与え、冷却水システムＣ側から必要量のブローを行わせるものであってもよい。もちろん、出力ユニット１５は、薬注装置５０とブローダウン装置とを同時にコントロールするものであってもよい。
【００４０】
さらに、例えば、冷却水システムＣの循環ポンプ１０２の出力が小さく、循環型サンプリングライン１１に、必要な流量のサンプル水Ｗ１を流すことができない場合には、循環型サンプリングライン１１のフィードライン１１Ａにブースターポンプを設置してもよい。また、採水場所Ｐが、例えば、冷却塔１００の水溜１００ａにある場合には、循環型サンプリングライン１１のフィードライン１１Ａに必要な容量のポンプを設置すればよい。
【００４１】
図２は、分析器１０で測定の終了したサンプル水Ｗ１を循環型サンプリングライン１１のリターンライン１１Ｂに戻して、サンプル水Ｗ１を再利用する場合を示している。測定の終了したサンプル水Ｗ１が薬品等によって、それ程汚されていなければ、これを再利用して、水資源の有効利用を図ることは必要であるからである。この場合、分析器１０の排水ライン１３を、循環型サンプリングライン１１のリターンライン１１Ｂに連結するとともに、短距離サンプリングライン１２にあった流量調整弁１２ｂを、流量調整弁１１ｅとして、リターンライン１１Ｂに移し、短距離サンプリングライン１２におけるサンプル水Ｗ１の流量が、必要流量となるように、リターンライン１１Ｂを流れるサンプル水Ｗ１の流量を流量調整弁１１ｄでコントロールする。
【００４２】
つぎに、具体的な実験例について説明する。
図３は、分析器１０（ＨＡＣＨ社製ＣＬ１７）で遊離塩素濃度を測定して、その値が管理目標値（０．７ｍｇＣｌ／Ｌ）となるように、測定結果に基づいて、冷却水システムＣ側に薬剤（スライムコントロール剤である次亜塩素酸ナトリウム）を加えていった場合の、遊離塩素濃度の時間的変化を示している。
【００４３】
図中の実施例は、図１で示されるモニタリング装置１を使用した場合を示している。この場合、採水場所Ｐから分析器１０の設置場所までのサンプル水Ｗ１の流路長さＬは１０ｍ、短距離サンプリングライン１２の配管１２ａの内径は１０ｍｍ、分析器１０へのサンプル水の必要流量は、０．５Ｌ／ｍｉｎ（流速は０．１ｍ／ｓ）、循環型サンプリングライン１１のフィードライン１１Ａ中の流量は、５．０Ｌ／ｍｉｎ（流速は１ｍ／ｓ）となっている。したがって、実施例の場合の、採水時と測定時のタイムラグは、短距離サンプリングライン１２の長さを、例えば０．５ｍとしても、１５秒程度にしかならない。
【００４４】
また、図中の比較例は、例えば、図１で示されるモニタリング装置１において、循環型サンプリングライン１１を用いず、短距離サンプリングライン１２を採水場所Ｐまでのばした従来の場合を示している。他の条件は実施例の場合と同じなので、比較例の場合の採水時と測定時のタイムラグは、ほぼ１００秒程度となり、実施例の場合の６倍以上の値となる。
【００４５】
図３のグラフから、比較例の場合は、採水時と測定時のタイムラグが大きいので、薬剤の添加のタイミングが合わず、過剰添加や過小添加が生じ、冷却水Ｗ中の遊離塩素濃度は大きく変動するが、実施例の場合は、採水時と測定時のタイムラグが小さいので、薬剤がタイミングよく添加され、冷却水Ｗの遊離塩素濃度は管理目標値（０．７ｍｇＣｌ／Ｌ）に近づいているのが分かる。
【００４６】
図４は、サンプル水Ｗ１として、平均濁度１０度の高濁質な水を使用した場合の、分析器１０に流れるサンプル水Ｗ１の流量の時間的変化を示している。この場合、図中に示された実施例と比較例との装置の状況は、図３の場合と同じである。
【００４７】
図４のグラフから、比較例の場合は、サンプル水Ｗ１の流速は０．１ｍ／ｓと遅いので、サンプル水Ｗ１中の濁質はサンプリングライン中に容易に堆積し、サンプリングラインの流路面積を狭めていく。したがって、比較例の場合は、実験開始（４／２９、すなわち、４月２９日）から２日経過した５月１日頃から、分析器１０への流量が必要流量（０．５５Ｌ／ｍｉｎ）から低下し始め、５月１１日には、０．２８Ｌ／ｍｉｎにまで低下しているのが分かる。したがって、比較例の場合、分析器１０による測定は２日しかできないことが分かる。
【００４８】
一方、実施例の場合は、実験開始（４月２９日）から実験終了（５月１１日）まで、分析器１０への流量は、必要流量を維持して、変化していない。すなわち、実施例の場合、循環型サンプリングライン１１の、例えば、フィードライン１１Ａにおけるサンプル水Ｗ１の流速は、１ｍ／ｓと、比較例の場合に比べて高速なので、サンプル水Ｗ１中の濁質は循環型サンプリングライン１１中にほとんど堆積せず、かつ、短距離サンプリングライン１２の上向き立ち上がり配管のおかげで、循環型サンプリングライン１１側の濁質は、短距離サンプリングライン１２側に流れ込みにくく、サンプル水Ｗ１の流速の小さい短距離サンプリングライン１２中にも、濁質の堆積はほとんど生じていないことが分かる。したがって、実施例の場合、分析器１０による測定は、実験開始（４月２９日）から実験終了（５月１１日）まで可能であることが分かる。
【符号の説明】
【００４９】
１    モニタリング装置
１０    分析器（調査機器）
１１    循環型サンプリングライン
１１Ａ  フィードライン
１１Ｂ  リターンライン
１２    短距離サンプリングライン
１３    排水ライン
１４    出力ユニット
Ｃ      冷却水システム
Ｐ      採水場所
Ｗ      冷却水
Ｗ１    サンプル水
【図１】
2015081906.tif 000003
【図２】
2015081906.tif 000004
【図３】
2015081906.tif 000005
【図４】
2015081906.tif 000006